(57)【特許請求の範囲】
【請求項１】
支持具取付対象部に対して取付自在に形成された支持具本体を設け、前記支持具本体に、支持対象の長尺体を受止め支持自在な支持部を設け、前記支持部への前記長尺体の受入口を開閉自在な蓋部の基端部を、前記支持部の一端部に揺動自在に取り付け、前記支持具本体に備えた蓋用被係止部に対して係止自在な係止部を前記蓋部の先端部に設けてある長尺体支持具であって、
前記係止部は、フック形状部を備え、前記被係止部は、前記係止部を挿入自在な挿通穴部と、前記挿通穴部に挿入した前記係止部を挿入方向に交わる方向にスライド自在なスライド穴部と、前記スライド穴部に沿ってスライドさせた前記係止部を前記挿入方向に逆行させることで前記フック形状部が係入自在な係入穴部とを備えているとともに、前記蓋部の係止操作、又は、係止解除操作に伴って、前記係止部を前記被係止部との適切な係止経路、又は、係止解除経路に誘導する誘導手段を設け、この誘導手段は、前記挿通穴部への前記係止部の挿入時から、前記係入穴部への前記フック形状部の係入時を通じて前記係止部を誘導自在に形成されている長尺体支持具。
【請求項２】
前記誘導手段には、前記係止部が蓋用被係止部の挿通穴部からスライド穴部に移行するとき又はスライド穴部から挿通穴部に移行するとき、前記支持具本体の取付係止部の左右の切欠き部に各別に摺動する蓋部の屈曲片部が備えられている請求項１記載の長尺体支持具。
【請求項３】
前記誘導手段には、前記蓋部の先端部の両側縁部に摺接する状態で前記支持具本体の取付係止部に屈曲形成した縦ガイドが備えられている請求項１記載の長尺体支持具。
【発明の詳細な説明】
【０００１】
【発明の属する技術分野】
本発明は、支持具取付対象部に対して取付自在に形成した支持具本体を設け、前記支持具本体に、支持対象の長尺体（例えば、配管や、ケーブルや電線等）を受止め支持自在な支持部を設け、前記支持部への前記長尺体の受入口を開閉自在な蓋部の基端部を、前記支持部の一端部に揺動自在に取り付け、前記支持具本体に備えた蓋用被係止部に対して係止自在な係止部を前記蓋部の先端部に設けてある長尺体支持具に関する。
【０００２】
【従来の技術】
従来、この種の長尺体支持具としては、係止部と被係止部とが不用意に外れないようにするために、図１０に示すように、前記係止部Ｋは、フック形状部Ｌを備え、前記被係止部５ｂは、前記係止部Ｋを挿入自在な挿通穴部Ｈ１と、前記挿通穴部Ｈ１に挿入した前記係止部Ｋを挿入方向に交わる方向にスライド自在なスライド穴部Ｈ２（前記挿通穴部Ｈ１より小巾）と、前記スライド穴部Ｈ２に沿ってスライドさせた前記係止部Ｋを前記挿入方向に逆行させることで前記係止部Ｋが係入自在な一対の係入穴部Ｈ３とを備えた構成のものがあった。
また、前記係止部Ｋのフック形状部Ｌを更に詳しく説明すると、前記挿通穴部Ｈ１の巾寸法に対応した広幅部６ａを設け、その広幅部６ａの基端側に前記スライド穴部Ｈ２の巾寸法に対応した狭巾部６ｂを設け、前記一対の係入穴部Ｈ３に各別に嵌入自在な突起部６ｃを前記広幅部６ａの両側部での後端部にそれぞれ設けて構成してある。
そして、当該支持金具によって長尺体を支持するには、前記支持部４に長尺体を載置させた状態で、蓋部６を閉方向に揺動させ、その先端部を前記挿通穴部Ｈ１に挿入し、広幅部６ａのすべてが通過した段階（挿入段階という）でスライド穴部Ｈ２に沿って下方側へスライドさせ（スライド段階という）、前記突起部６ｃを引き戻しながら前記係入穴部Ｈ３に嵌入させる（係合段階という）ことによって、長尺体を囲繞した状態に支持できるものである。
【０００３】
【発明が解決しようとする課題】
上述した従来の長尺体支持具によれば、広幅部６ａと挿通穴部Ｈ１、及び、狭幅部６ｂとスライド穴部Ｈ２それぞれの幅寸法を、ほぼ同寸法にしておくことで互いが接当して相互の位置が決まり、前記挿入段階、及び、前記スライド段階に、係止部と被係止部とが横ずれするのを防止できるものの、挿入段階からスライド段階に移る際（又は、係止解除に伴うスライド段階から挿入段階に移る際）には、相互の横ずれを規制することが困難で、係止部の一連の係止操作（又は、係止解除操作）をスムースに実施できない場合があるという問題点がある。
これは、係止部と被係止部との位置関係を目視によって確認しながら係止操作（又は、係止解除操作）する場合には、係止部と被係止部とを適切な位置に合わせながら操作できるから問題となり難いものの、例えば、頭上での操作や、狭い操作環境である場合には、目視確認がしにくいから、相互の位置あわせを実施することが不可能となり、長尺体支持作業の大きな障害になりかねない。
【０００４】
従って、本発明の目的は、上記問題点を解消し、蓋部の着脱操作をスムースにでき、長尺体の支持作業を効率よく実施できる長尺体支持具を提供するところにある。
【０００５】
【課題を解決するための手段】
図２・７・８・９に例示するごとく、支持具取付対象部２に対して取付自在に形成した支持具本体３を設け、前記支持具本体３に、支持対象の長尺体１を受止め支持自在な支持部４を設け、前記支持部４への前記長尺体１の受入口を開閉自在な蓋部６の基端部を、前記支持部４の一端部に揺動自在に取り付け、前記支持具本体３に備えた蓋用被係止部５ｂに対して係止自在な係止部Ｋを前記蓋部６の先端部に設けてある長尺体支持具において、前記蓋部６の係止操作、又は、係止解除操作に伴って、前記係止部Ｋを前記被係止部５ｂとの適切な係止経路、又は、係止解除経路に誘導する誘導手段Ｆを設けていてもよい。
上記構成によれば、係止部を被係止部に係止（又は、係止解除）させるに際して、前記誘導手段によって適切な経路に誘導することが可能となるので、誰が操作しても、スムースに、且つ、確実に係止操作（係止解除操作）することができる。従って、頭上の作業や、狭間での作業であっても、効率よく蓋着脱作業を実施することが可能となる。
【０００６】
図２・７・８・９に例示するごとく、前記係止部Ｋは、フック形状部Ｌを備え、前記被係止部５ｂは、前記係止部Ｋを挿入自在な挿通穴部Ｈ１と、前記挿通穴部Ｈ１に挿入した前記係止部Ｋを挿入方向に交わる方向にスライド自在なスライド穴部Ｈ２と、前記スライド穴部Ｈ２に沿ってスライドさせた前記係止部Ｋを前記挿入方向に逆行させることで前記フック形状部Ｌが係入自在な係入穴部Ｈ３とを備え、前記誘導手段Ｆは、前記挿通穴部Ｈ１への前記係止部Ｋの挿入時から、前記係入穴部Ｈ３への前記フック形状部Ｌの係入時を通じて前記係止部Ｋを誘導自在に形成していてもよい。
上記構成によれば、請求項１の発明による作用効果を叶えることができるのに加えて、係止部の係止操作が複雑な動きとなることで、支持した長尺体や、当該長尺体支持具に一方向の外力が作用しても不用意に外れることが防止し易い特徴を生かしながらも、蓋部の着脱操作の簡単化を図れるので、着脱し易く、且つ、勝手には外れ難い長尺体支持具とすることが可能となる。
【０００７】
そして、本発明の請求項１の特徴構成は、支持具取付対象部に対して取付自在に形成された支持具本体を設け、前記支持具本体に、支持対象の長尺体を受止め支持自在な支持部を設け、前記支持部への前記長尺体の受入口を開閉自在な蓋部の基端部を、前記支持部の一端部に揺動自在に取り付け、前記支持具本体に備えた蓋用被係止部に対して係止自在な係止部を前記蓋部の先端部に設けてある長尺体支持具であって、
前記係止部は、フック形状部を備え、前記被係止部は、前記係止部を挿入自在な挿通穴部と、前記挿通穴部に挿入した前記係止部を挿入方向に交わる方向にスライド自在なスライド穴部と、前記スライド穴部に沿ってスライドさせた前記係止部を前記挿入方向に逆行させることで前記フック形状部が係入自在な係入穴部とを備えているとともに、前記蓋部の係止操作、又は、係止解除操作に伴って、前記係止部を前記被係止部との適切な係止経路、又は、係止解除経路に誘導する誘導手段を設け、この誘導手段は、前記挿通穴部への前記係止部の挿入時から、前記係入穴部への前記フック形状部の係入時を通じて前記係止部を誘導自在に形成されている点にある。
本発明の請求項２の特徴構成は、前記請求項１記載の長尺体支持具において、前記誘導手段には、前記係止部が蓋用被係止部の挿通穴部からスライド穴部に移行するとき又はスライド穴部から挿通穴部に移行するとき、前記支持具本体の取付係止部の左右の切欠き部に各別に摺動する蓋部の屈曲片部が備えられている点にある。
本発明の請求項３の特徴構成は、前記請求項１記載の長尺体支持具において、前記誘導手段には、前記蓋部の先端部の両側縁部に摺接する状態で前記支持具本体の取付係止部に屈曲形成した縦ガイドが備えられている点にある。
【０００８】
【発明の実施の形態】
以下に本発明の実施の形態を図面に基づいて説明する。尚、図面において従来例と同一の符号で表示した部分は、同一又は相当の部分を示している。
【０００９】
図１は、本発明の長尺体支持具の一例である支持金具Ｒによって、長尺体の一例である空調配管１を、吊りボルト（支持具取付対象部の一例）２に支持させてある状態を示すものである。
【００１０】
前記吊りボルト２は、建物から垂下状態に固定してあり、図には示さないが、空調配管１の長手方向に間隔をあけた別の複数箇所にも設置してあって、それらの各吊りボルト２に図と同様に取り付けたそれぞれの支持金具Ｒによって、空調配管１は支持してある。
【００１１】
前記支持金具Ｒについて説明すると、図１に示すように、前記吊りボルト２に対して係止自在な取付係止部５と、支持対象の空調配管１を受止め支持自在な支持部４と、前記支持部４への前記空調配管１の受入口を閉塞し、且つ、前記支持部４と共に前記空調配管１を囲繞する蓋部６とを備えた支持具本体３によってその主体部分は構成してある。
前記取付係止部５と支持部４とは、金属製の帯状体を屈曲加工して一体的に形成してある。そして、前記蓋部６も金属製の帯状体から成形してあり、その基端部を支持部４の先端部にヒンジ接合部４ｂを介して揺動自在に取り付けてある。
【００１２】
前記支持部４は、図に示すように、湾曲形状に形成してあり、その湾曲凹部４ａが、空調配管１の収容支持空間Ｖとなる。従って、そして、前記湾曲凹部４ａに前記空調配管１を横姿勢に位置させて受け止め支持することができるものである。
【００１３】
前記取付係止部５は、図１〜４に示すように、断面形状『コ』字形状に形成してあり、『コ』字の開口部が前記収容支持空間Ｖに向く姿勢で前記支持部４の基端部と一体連結してある。
前記吊りボルト２に取り付けられる状態においては、前記『コ』字の開口部は下方を向く姿勢となる。
そして、取付係止部５の上面部には、吊りボルト２が進入自在な長穴５ａを形成してある。従って、吊りボルト２への当該支持金具Ｒの取り付けは、この長穴５ａ内に吊りボルト２の先端部を挿入受け入れする事によって実施される。前記取付係止部５の『コ』字形状の凹状部を受入部７という。
この受入部７には、図に示すように屈曲形成された板バネ部材８（図３参照）を内嵌させてあると共に、その内側に断面「コ」字形の板金部材２３を設け、取付係止部５の一方側の側壁部分に固着（リベット接合）してある。
また、取付係止部５の他方側の側壁部分には、前記蓋部６の先端部を係合させる蓋係合部（蓋用被係止部に相当）５ｂを形成してある。この蓋係合部５ｂに、前記蓋部６の先端部に形成した係止部Ｋを係合させることによって、前記支持部４への前記空調配管１の受入口が閉塞されると共に、前記収容支持空間Ｖに配置された前記空調配管１を前記支持部４ととともに囲繞支持することができる。また、取付係止部５の他方側の側壁部分にの側縁部下端には、後述する蓋部６の屈曲片部３２のガイドとなる切欠き部５ｃを形成してある。
【００１４】
前記蓋係合部５ｂは、図３・４に示すように、前記蓋部６の係止部Ｋを、前記受入部７へ挿通させることが可能な第一穴部（挿入穴部に相当）Ｈ１と、その第一穴部Ｈ１に挿通させた蓋部６の先端部をロック方向にスライド自在な第二穴部（スライド穴部に相当）Ｈ２（前記第一穴部Ｈ１より小巾）と、その第二穴部Ｈ２に沿ってスライドさせた蓋部６の先端部をロック自在な一対の第三穴部（係入穴部に相当）Ｈ３とで構成してある。前記第一穴部Ｈ１と第２穴部Ｈ２とは連続した一つの穴（穴正面形状が『Ｔ』字形状）に形成してある。そして、一対の第三穴部Ｈ３は、前記第２穴部Ｈ２の両脇部分にそれぞれ形成してある。
また、取付係止部５の他方側の側壁部分は、その下端部を、受入部７側に屈曲させて屈曲凸部２７を形成してある。この屈曲凸部２７は、前記板バネ部材８の第三面部８ｃ（後述）を係止解除方向へ撓ませて吊りボルト２に対する係止を解除する際に、前記屈曲凸部２７で板バネ部材８の必要以上の撓みを抑制する機能を備えており、板バネ部材の弾性限度を超える範囲以上の変位によって吊りボルト２に係止できなくなるのを防止することが可能となる。
【００１５】
一方、前記蓋部６の係止部Ｋには、図４〜６に示すように、前記第一穴部Ｈ１の巾寸法に対応した広幅部６ａと、その広幅部６ａの基端側に前記第二穴部Ｈ２の巾寸法に対応した狭巾部６ｂと、前記広幅部６ａの両側部での後端部に前記一対の第三穴部Ｈ３に各別に嵌入自在な突起部６ｃとからなるフック形状部Ｌを設けてある。また、広幅部６ａの前端部の中央部分には、前記吊りボルト２の外周面に沿う凹部９を形成してある。
また、前記蓋部６の先端部には、前記係止部Ｋを前記蓋係合部５ｂへ係止操作（又は、係止解除操作）自在な摘み部３０を設け、前記摘み部３０に、長手方向が前記蓋部６の揺動方向に交わる方向に沿う状態に形成した操作部３１を設けてある。具体的には、前記蓋部６は、板金で構成してあり、前記操作部３１は、前記蓋部６から切り起こして形成してある。そして、前記操作部３１は、図に見られるように、蓋部６先端部の縦壁部分表面側に突出すると共に、上方ほど縦壁部分から離間する状態（縦壁部分と約５０度の角度で傾斜）に設けられている。
従って、前記操作部３１の表裏面を摘んだ状態で、蓋部６を揺動操作して、前記係止部Ｋを前記蓋係合部に係止操作したり係止解除操作する際に、操作力のベクトル成分を、常に操作部３１の表裏面に垂直に作用させることが可能となり、何れの操作についても力を入れ易い。その結果、吊りボルト２に取り付けた当該支持金具Ｒによって空調配管１を支持するのに、前記支持部４に空調配管１を載置させた状態で、前記操作部３１を摘んで蓋部６を閉方向に揺動させ、その先端部を前記第一穴部Ｈ１に挿入し、広幅部６ａのすべてが通過した段階（挿入段階という）で第二穴部Ｈ２に沿って下方側へスライドさせ（スライド段階という）、前記突起部６ｃを引き戻しながら前記第三穴部Ｈ３に嵌入させる（係合段階という）ことによって、空調配管１を囲繞した状態に支持する一連の作業を、簡単に且つ迅速に実施できる。そして、通常の作業環境での配管支持作業はもとより、頭上での操作や、狭所での操作のように一般的に作業しにくい環境での配管支持作業であっても、効率よく実施することが可能となる。
尚、蓋部６の先端部には、縦壁部分の両側辺部に、前方側に切り起こした屈曲片部３２をそれぞれ設けてある。この屈曲片部３２は、蓋部６の係止操作において前記挿入段階からスライド段階へ移行する際、又は、蓋部６の係止解除において前記スライド段階から挿入段階へ移行する際に、前記取付係止部５の左右の切欠き部５ｃに各別に摺動するから、前記係止部Ｋと前記蓋係合部５ｂとの適切な位置関係を確保することが可能となる。
また、前記挿入段階においては、第一穴部Ｈ１の左右縁部と広幅部６ａの左右縁部が摺接することによって、係止部Ｋと蓋係合部５ｂとの横方向の位置ずれを防止でき、前記スライド段階や係合段階においては、第二穴部Ｈ２の左右縁部と狭幅部６ｂの左右縁部が摺接することによって、係止部Ｋと蓋係合部５ｂとの横方向の位置ずれを防止できる。
以上のように、前記第一穴部Ｈ１・広幅部６ａ・第二穴部Ｈ２・狭幅部６ｂ・屈曲片部３２・切欠き部５ｃとによって、蓋部の着脱操作における係止部Ｋと蓋係合部５ｂとの適切な相対位置の確保が可能となる。これらを総称して誘導手段Ｆという（図２参照）。
【００１６】
前記板バネ部材８について説明すると、図３・４に示すように、前記取付係止部５の一方側の側壁部分に固着された第一面部８ａと、取付係止部５の上面部に内接する第二面部８ｂと、前記吊りボルト２の進入空間に突出状態に配置される第三面部８ｃとを一体的に設けて構成してある。
前記第二面部８ｂには、前記取付係止部５と同様に吊りボルト２が進入自在な長穴１０を形成してある。但し、前記長穴１０の周縁部の内、第一面部側の周縁部分は直線状に加工してあり、前記吊りボルト２のネジ溝２ａに係止可能な係止爪部１１に形成してある。
また、前記第三面部８ｃは、図に示すように、前記吊りボルト２の進入方向に傾斜させてあると共に、進入してきた吊りボルト２に外嵌自在な切欠き部１２を形成してある。そして、その切欠き部１２の底部分には、前記第二面部８ｂと同様に直線状加工により前記吊りボルト２のネジ溝２ａに係止可能な係止爪部１１を形成してある。
従って、両係止爪部１１は、前記吊りボルト２の進入空間を挟んだ両側方に各別に配置してあり、前記吊りボルト２の両側部のネジ溝２ａに各別に係止可能に形成してある。
また、前記受入部７への前記吊りボルト２の進入に伴って、前記第三面部８ｃは、弾性変形しながらその進入を許容することができると共に、前記受入部７に進入した前記吊りボルト２の前記受入部７からの抜け出しに対しては、両係止爪部１１がネジ溝２ａに食い込む方向に抵抗することで、抜け出しを阻止することができる。尚、係止爪部１１は、ネジ部２ａの螺旋形状に沿うように、傾斜させて設けてある。
因みに、前記板バネ部材８の第三面部８ｃを傾斜状態に設けてあることによって、前記受入部７に挿入された蓋部６の広幅部６ａを押し下げながら押し戻す付勢力を作用させることが可能となり、前記広幅部６ａを第一穴部Ｈ１に挿入するだけで、前記板バネ部材８の付勢作用により、突起部６ｃが第三穴部Ｈ３に嵌入する係合ロック状態に誘導することが可能となり、蓋係合操作の迅速化、及び、簡単化を図ることが可能となる。
一方、前記蓋部６の前記係合ロック状態においては、前記広幅部６ａによって板バネ部材８の第三面部８ｃを吊りボルト２側に押し付けた状態を維持することが可能となる。その結果、前記第三面部８ｃの係合爪部１１が吊りボルト２のネジ溝２ａに係合して前記吊りボルト２の抜け出し阻止状態の維持を図ることが可能となる。前記広幅部６ａによってロック機構が構成されている。
【００１７】
前記板金部材２３は、図３に示すように、断面「コ」字形に形成してあり、前記板バネ部材８の内側に配置してある。支持具本体３への取り付けは、前述のように、前記板バネ部材８の第一面部８ａをコの字形の側辺部分と取付係止部５とで挟持する状態に取り付けてある。板金部材２３は、その側壁の一部に、受入部７側に突出した突出部２３ａを形成してあり、吊りボルト２の側面をこの突出部２３ａで支えることで、支持金具Ｒの取り付き姿勢の安定化を図れるように構成してある。そして、板金部材２３のコの字形の上辺部分には、吊りボルト２を挿通自在な切欠きを形成してあり、やはり、板バネ部材８の第二面部８ｂを取付係止部５とで挟持する状態に形成してある。また、コの字形の下辺部分は、吊りボルト２の延長線上に位置し、吊りボルト２が、前記収容支持空間Ｖにまで進入した際、空調配管１に直に突き当たらないようにストッパＳに構成してある。また、このストッパＳには、前記吊りボルト２が螺合自在な雌ねじ部２５を設けてあり、前記吊りボルト２が突き当たる状態においてはストッパとして機能すると共に、吊りボルト２と当該長尺体支持具とをボルト軸芯周りに相対回転させて吊りボルト２と雌ねじ部２５とを螺合させれば、吊りボルト２に対する長尺体支持具の取付状態が安定したものとなり、不用意に取付係止部が外れるのを防止できるように構成してある。
【００１８】
次に、支持金具Ｒを吊りボルト２に係止させて、空調配管１を支持する手順の一例を説明すると、
［１］  長穴５ａ・１０内に吊りボルト２を進入させて係合爪部１１とネジ溝２ａとを係止させた状態で支持金具Ｒをボルト軸芯周りに回転させて、雌ねじ部２５を吊りボルト２に螺合させることで支持金具Ｒを取り付ける。
［２］  支持部４に、空調配管１を配置する。
［３］  前記摘み部３０を摘んで蓋部６を閉めて、係止部Ｋを蓋係合部５ｂに係合させることで前記ロック機構を作用させる。
以上の手順によって、空調配管１の支持を行うことができる。
【００１９】
〔別実施形態〕
以下に別実施形態を説明する。
【００２０】
〈１〉  本発明の長尺体支持具は、先の実施の形態で説明したように、空調配管からなる長尺体を支持するためのものに限定されず、例えば、ケーブル、他の配管等さまざまなものが支持可能で、それらを含めて長尺体という。
〈２〉  前記係止爪部の設置部位、及び、形状・設置数は、先の実施の形態のものに限定されるものではなく、適宜選定することが可能である。
〈３〉  前記係止部・蓋用被係止部の構成は、先の実施形態のものに限るものではなく、形状の変更は可能である。
〈４〉  前記誘導手段Ｆは、先の実施形態で説明した挿入穴部Ｈ１・広幅部６ａ・スライド穴部Ｈ２・狭幅部６ｂ・係入片部３２・切欠き部５ｃとによって構成してあるものに限るものではなく、例えば、図７・８・９に示すように、取付係止部５の他方側の側壁部分に、屈曲形成した縦ガイドＦ１を設けて構成してもよい。この場合は、前記蓋部６先端部の縦壁部分の両側縁部が前記縦ガイドＦ１に摺接することによって誘導されるから、一種類の誘導手段で、前記挿入段階・スライド段階・係合段階を通じて前記係止部Ｋを適切な係合位置（又は、係合解除位置）に誘導することが可能となる。
【図面の簡単な説明】
【図１】長尺体支持具の設置状況を示す正面図
【図２】長尺体支持具を示す斜視図
【図３】長尺体支持具の要部を示す正面視断面図
【図４】長尺体支持具の蓋部係止操作を説明する要部斜視図
【図５】長尺体支持具の蓋部係止操作を説明する要部側面図
【図６】長尺体支持具の蓋部係止操作を説明する要部側面図
【図７】別実施形態の長尺体支持具の要部を示す斜視図
【図８】別実施形態の長尺体支持具の要部を示す正面視断面図
【図９】別実施形態の長尺体支持具の要部を示す正面視断面図
【図１０】従来の長尺体支持具を示す正面図
【符号の説明】
１    長尺体
２    支持具取付対象部
３    支持具本体
４    支持部
５ｂ  蓋用被係止部
６    蓋部
Ｆ    誘導手段
Ｈ１  挿入穴部
Ｈ２  スライド穴部
Ｈ３  係入穴部
Ｋ    係止部
Ｌ    フック形状部
【図１】
0004392896.tif 000002
【図２】
0004392896.tif 000003
【図３】
0004392896.tif 000004
【図４】
0004392896.tif 000005
【図５】
0004392896.tif 000006
【図６】
0004392896.tif 000007
【図７】
0004392896.tif 000008
【図８】
0004392896.tif 000009
【図９】
0004392896.tif 000010
【図１０】
0004392896.tif 000011